(57)【要約】  本開示は、光軸方向に沿って並んだ第１円形部と第２円形部とを備えたレンズと、筒状に形成され、前記第１円形部が嵌合された第１内周面と、前記第１円形部と前記第１内周面との嵌合部から光軸方向に離れた位置で前記第２円形部が嵌合され、かつ、周方向に三カ所以上で前記第２円形部が当接された第２内周面とを備えた樹脂製の鏡筒と、を有するレンズユニットを提供する。
2017168960.tif 000002
【特許請求の範囲】
【請求項１】
光軸方向に沿って並んだ第１円形部と第２円形部とを備えたレンズと、
筒状に形成され、前記第１円形部が嵌合された第１内周面と、前記第１円形部と前記第１内周面との嵌合部から光軸方向に離れた位置で前記第２円形部が嵌合され、かつ、周方向に三カ所以上で前記第２円形部が当接された第２内周面とを備えた樹脂製の鏡筒と、
を有するレンズユニット。
【請求項２】
前記第２内周面は、光軸方向から見て多角形状に形成されており、
前記第２内周面における第２円形部との当接部は、多角形状の各辺を形成する平面である
請求項１に記載のレンズユニット。
【請求項３】
前記第２内周面は、隣り合う前記平面を繋ぐ曲面が形成されている請求項２に記載のレンズユニット。
【請求項４】
前記第２内周面における前記第２円形部との当接部分には、光軸方向から見て前記鏡筒の径方向外側に窪んで前記第２円形部と面接触する湾曲面が形成されている請求項１に記載のレンズユニット。
【請求項５】
前記第１円形部と前記第１内周面とが周方向に三カ所以上で当接されている請求項２から請求項４の何れか１項に記載のレンズユニット。
【請求項６】
前記第１内周面は、光軸方向から見て多角形状とされている請求項５に記載のレンズユニット。
【請求項７】
前記第１内周面は、多角形状の各辺を形成する平面と、隣り合う平面を連結する円弧状の連結部とを含んで構成されている請求項６に記載のレンズユニット。
【請求項８】
前記第１内周面は、前記第２内周面よりも径方向外側に位置している請求項１から請求項７の何れか１項に記載のレンズユニット。
【請求項９】
前記第１円形部の光軸方向の長さは、第２円形部の光軸方向の長さよりも短い請求項８に記載のレンズユニット。
【請求項１０】
前記第１内周面は、前記第２内周面よりも径方向外側に位置しており、
光軸方向から見て前記第１内周面の各辺を形成する平面と前記第２内周面の各辺を形成する平面とが周方向に同じ位置に形成されている
請求項６又は請求項７に記載のレンズユニット。
【請求項１１】
前記第１内周面及び前記第２内周面の少なくとも一方は、光軸方向に対して傾斜された傾斜面を備えており、
前記第１円形部及び前記第２円形部のうち前記傾斜面と嵌合される円形部は、前記傾斜面に対応して傾斜している
請求項１から請求項１０の何れか１項に記載のレンズユニット。
【請求項１２】
前記レンズユニットは、車載用又は監視用のレンズユニットである請求項１から請求項１１の何れか１項に記載のレンズユニット。
【発明の詳細な説明】
【技術分野】
【０００１】
本開示は、レンズユニットに関する。
【背景技術】
【０００２】
特許第４８４７０２０号公報、及び特許第５４０６１６５号公報には、プラスチック（樹脂）製の複数のレンズを多角形状の内周面を有するプラスチック（樹脂）製の鏡筒内に圧入したレンズユニットが開示されている。また、特開２０１１−００２５７６号公報、及び特開２００９−２１６７７４号公報には、光軸方向から見て円形の内周面を備えた鏡筒にレンズが嵌合された構成が開示されており、レンズは光軸方向に複数カ所で鏡筒に当接されている。
【発明の概要】
【発明が解決しようとする課題】
【０００３】
特許第４８４７０２０号公報、及び特許第５４０６１６５号公報のように鏡筒の内周面が多角形状であれば、レンズと鏡筒との接触部分が小さくなり、組み付け易い反面、レンズが光軸方向に傾きやすい。一方、特開２０１１−００２５７６号公報、及び特開２００９−２１６７７４号公報のようにレンズを光軸方向に複数カ所で鏡筒に当接さればレンズの傾きを抑制できる反面、レンズの挿入抵抗が高く、組付け性が低下する。【０００４】
本開示は、鏡筒が樹脂で形成された構成において、組付け性を確保しつつ、レンズの傾きを抑制できるレンズユニットを提供する。
【課題を解決するための手段】
【０００５】
本開示の第１態様は、レンズユニットであって、光軸方向に沿って並んだ第１円形部と第２円形部とを備えたレンズと、筒状に形成され、第１円形部が嵌合された第１内周面と、第１円形部と第１内周面との嵌合部から光軸方向に離れた位置で第２円形部が嵌合され、かつ、周方向に三カ所以上で第２円形部が当接された第２内周面とを備えた樹脂製の鏡筒と、を有する。【０００６】
本開示の第１態様に係るレンズユニットによれば、レンズの第１円形部が鏡筒の第１内周面に嵌合されている。また、レンズの第２円形部は、第１円形部と第１内周面との嵌合部から光軸方向に離れた位置で、鏡筒の第２内周面に嵌合されている。これにより、第１態様に係るレンズユニットは、光軸方向と直交する方向（鏡筒の径方向）から見てレンズが複数カ所で鏡筒の内周面に当接されることとなり、鏡筒の径方向から見てレンズが一カ所のみで鏡筒の内周面に当接された構造と比較して、レンズの傾きを抑制することができる。【０００７】
また、第１態様に係るレンズユニットでは、第２円形部が周方向に三カ所以上で第２内周面と当接されており、レンズの位置精度を確保し易いため、この第２内周面でレンズの位置決めを行うことで、第１円形部及び第２円形部のそれぞれの嵌合長さを長くする必要がない。この結果、第１態様に係るレンズユニットは、レンズの組付け時にレンズが鏡筒に入り難くなるのを抑制することができ、組付け性を確保することができる。【０００８】
本開示の第２態様に係るレンズユニットは、第１態様に係るレンズユニットにおいて、第２内周面は、光軸方向から見て多角形状に形成されており、第２内周面における第２円形部との当接部は、多角形状の各辺を形成する平面であってもよい【０００９】
本開示の第２態様に係るレンズユニットによれば、第２内周面を多角形状にすることにより、第２円形部と第２内周面との当接部が光軸方向から見て点接触となる。これにより、第２態様に係るレンズユニットは、第２円形部を一周に亘って曲面で受ける面接触の構造と比較して、組み付け時の抵抗が減り、組付け性を維持しつつ嵌合長さを長くすることができる。なお、ここでいう「多角形状」とは、多角形状の各辺を角又は円弧で連結した構造を広く含む概念であり、各辺を形成する面が平面である構造に限定されない。【００１０】
本開示の第３態様に係るレンズユニットは、第２態様に係るレンズユニットにおいて、第２内周面は、隣り合う平面を繋ぐ曲面が形成されていてもよい。【００１１】
本開示の第３態様に係るレンズユニットによれば、隣り合う平面が曲面で繋がれているため、平面を角部で連結した構造のように第２内周面に作用する応力が角部に集中するのを抑制することができる。すなわち、第３態様に係るレンズユニットは、第２内周面に作用する応力を分散さることができる。【００１２】
本開示の第４態様に係るレンズユニットは、第１態様に係るレンズユニットにおいて、前記第２内周面における前記第２円形部との当接部分には、光軸方向から見て前記鏡筒の径方向外側に窪んで前記第２円形部と面接触する湾曲面が形成されていてもよい。【００１３】
本開示の第４態様に係るレンズユニットによれば、湾曲面で第２円形部を受けることにより、第２円形部を点で受ける構成と比較して、第２内周面との接触面積を大きくすることができる。この結果、第４態様に係るレンズユニットは、レンズ側外径歪み起因で生じる光軸ずれからの光学特性不良を抑制することができる。【００１４】
本開示の第５態様に係るレンズユニットは、第３態様又は第４態様に係るレンズユニットにおいて、第１円形部と第１内周面とが周方向に三カ所以上で当接されていてもよい。【００１５】
本開示の第５態様に係るレンズユニットによれば、第１円形部が第１内周面と周方向の全域に当接された構造と比較して、レンズの位置精度を確保し易い。【００１６】
本開示の第６態様に係るレンズユニットは、第５態様に係るレンズユニットにおいて、第１内周面は、光軸方向から見て多角形状とされていてもよい。【００１７】
本開示の第６態様に係るレンズユニットによれば、第１内周面を多角形状にすることにより、第１円形部と第１内周面との当接部が点接触となる。これにより、第６態様に係るレンズユニットは、第１円形部を曲面で受ける面接触の構造と比較して、組み付け時の抵抗が減り、組付け性を維持しつつ嵌合長さを長くすることができる。【００１８】
本開示の第７態様に係るレンズユニットは、第６態様に係るレンズユニットにおいて、第１内周面は、多角形状の各辺を形成する平面と、隣り合う平面を連結する円弧状の連結部とを含んで構成されていてもよい。【００１９】
本開示の第７態様に係るレンズユニットによれば、隣り合う平面が角部で連結された構造のように第１内周面に作用する応力が角部に集中するのを抑制することができる。すなわち、第７態様に係るレンズユニットは、第１内周面に作用する応力を分散さることができる。【００２０】
本開示の第８態様に係るレンズユニットは、第１態様〜第７態様の何れか１つの態様に係るレンズユニットにおいて、第１内周面は、第２内周面よりも径方向外側に位置していてもよい。【００２１】
本開示の第８態様に係るレンズユニットによれば、第１内周面と第２内周面とを径方向に同じ位置に形成した構造と比較して鏡筒を成形するための金型の機械加工が容易となる。すなわち、第１内周面と第２内周面とに径差があれば、金型における第１内周面に対応する部位と第２内周面に対応する部位とをそれぞれ別々に面出しすることができる。また、第２内周面が第１内周面よりも径方向外側に位置する場合、この部分を形成する金型部品（コアピン）を引き抜く際に、アンダーカットになって離型抵抗が生じることで、金型部品が抜けなくなることがある。したがって、第８態様に係るレンズユニットによれば、第１内周面が第２内周面よりも径方向外側に位置していれば、金型部品が抜けなくなるのを抑制することができる。【００２２】
本開示の第９態様に係るレンズユニットは、第８態様に係るレンズユニットにおいて、第１円形部の光軸方向の長さは、第２円形部の光軸方向の長さよりも短くてもよい。【００２３】
本開示の第９態様に係るレンズユニットによれば、第２円形部よりも大径となる第１円形部の光軸方向の長さを短くすることにより、レンズを鏡筒に組み付け易い。【００２４】
本開示の第１０態様に係るレンズユニットは、第６態様又は第７態様に係るレンズユニットにおいて、第１内周面は、第２内周面よりも径方向外側に位置しており、光軸方向から見て第１内周面の各辺を形成する平面と第２内周面の各辺を形成する平面とが周方向に同じ位置に形成されていてもよい。【００２５】
本開示の第１０態様に係るレンズユニットによれば、光軸方向から見て第１内周面の各辺を形成する平面と第２内周面の各辺を形成する平面とが周方向に同じ位置に形成されているため、第１円形部と第１内周面との当接部と、第２円形部と第２内周面との当接部とが周方向に一致する。これにより、第１０態様に係るレンズユニットは、第１円形部と第１内周面との当接部と、第２円形部と第２内周面との当接部とが周方向に異なる構造と比較して、レンズの傾きを効果的に抑制することができる。【００２６】
本開示の第１１態様に係るレンズユニットは、第１態様〜第９態様の何れか１つの態様に係るレンズユニットにおいて、第１内周面及び第２内周面の少なくとも一方は、光軸方向に対して傾斜された傾斜面を備えており、第１円形部及び第２円形部のうち傾斜面と嵌合される側の円形部は、傾斜面に対応して傾斜していてもよい。【００２７】
本開示の第１１態様に係るレンズユニットによれば、レンズを鏡筒に圧入して嵌合させる際に、傾斜面がレンズのガイドとなるため、第１内周面及び第２内周面の両方が光軸方向に沿って形成されている場合と比較して、レンズを定位置で嵌合し易い。【００２８】
本開示の第１２態様に係るレンズユニットは、第１態様〜第１１態様の何れか１つの態様に係るレンズユニットにおいて、レンズユニットは、車載用又は監視用のレンズユニットであってもよい。【００２９】
本開示の第１２態様に係るレンズユニットによれば、監視用カメラや車載用カメラなどのように、高温に晒される可能性があって結像性能の維持が難しい環境下で用いられるレンズユニットにおいても、性能劣化を少なくできる。
【発明の効果】
【００３０】
本開示の上記態様によれば、鏡筒が樹脂で形成された構成において、組付け性を確保しつつ、レンズの傾きを抑制することができるレンズユニットを提供できる。
【図面の簡単な説明】
【００３１】
【図１】例示的実施形態に係るレンズユニットの要部を示す、径方向方見た断面図である。
【図２】図１の２−２線で切断した切断面を拡大して示す断面図である。
【図３】図１の３−３線で切断した切断面を拡大して示す断面図である。
【図４】例示的実施形態に係るレンズユニットの第１変形例を示す、鏡筒の断面図である。
【図５】例示的実施形態に係るレンズユニットの第２変形例を示す、図１に対応する断面図である。
【図６】例示的実施形態に係るレンズユニットの第３変形例を示す、図１に対応する断面図である。
【図７】例示的実施形態に係るレンズユニットの第４変形例を示す、図２に対応する断面図である。
【図８】例示的実施形態に係るレンズユニットの第５変形例を示す、図２に対応する断面図である。
【発明を実施するための形態】
【００３２】
以下、図面を参照しながら本開示に係る例示的実施形態を説明する。なお、図面において同一機能を有する構成要素には同一符号を付し、説明を適宜省略する。また、各図において適宜示されるＳは、光軸を示すものであり、光軸Ｓに沿った方向を光軸方向と記載する。
【００３３】
図１に示されるように、本例示的実施形態に係るレンズユニット１０は、樹脂製又はガラス製のレンズ１２と、レンズ１２を収容する樹脂製の鏡筒１８とを含んで構成されている。なお、鏡筒１８には、レンズ１２とは別に複数のレンズが収容されて光学系が構成されている。また、図１において、図中上側が物体側であり、図中下側が像側である。
【００３４】
（レンズの構成）
レンズ１２は、光軸方向から見て略円形に形成されており、光軸方向に沿って並んだ第１円形部１４と第２円形部１６とを備えている。また、本例示的実施形態のレンズ１２は一例として、外径が１５ｍｍ以下に形成されている。第１円形部１４は、レンズ１２の物体側に位置しており、光学面を有する第１レンズ部１４Ａと、第１レンズ部１４Ａの外周部を構成する第１周縁部１４Ｂとを備えている。また、第１円形部１４の物体側の面は、物体側に凸となるように湾曲されている。
【００３５】
一方、第２円形部１６は、レンズ１２の像側に位置して第１円形部１４と一体に形成されており、光学面を有する第２レンズ部１６Ａと、第２レンズ部１６Ａの外周部を構成する第２周縁部１６Ｂとを備えている。また、第２円形部１６の像側の面は、像側に凸となるように湾曲されている。
【００３６】
ここで、第１円形部１４は、第２円形部１６よりも大径に形成されている。このため、第１円形部１４の第１周縁部１４Ｂは、第２円形部１６の第２周縁部１６Ｂよりも径方向外側に位置している。また、第１円形部１４の光軸方向の長さは、第２円形部１６の光軸方向の長さよりも短い。さらに、第１円形部１４の第１周縁部１４Ｂ及び第２円形部１６の第２周縁部１６Ｂはそれぞれ、鏡筒１８の内周面に嵌合されている。
【００３７】
（鏡筒の構成）
鏡筒１８は、光軸方向の両端部が開口された略円筒状に形成されており、樹脂成形により形成されている。また、鏡筒１８の像側の端部には、押さえ部（図示せず）が設けられており、この押さえ部には光学絞りの機能を有する透孔が形成されている。さらに、鏡筒１８の物体側の端部には、熱カシメされたカシメ部（図示せず）が形成されており、このカシメ部によって光学系の部品が鏡筒１８から外れるのを抑制している。
【００３８】
ここで、鏡筒１８は一例として、ガラス繊維と無機フィラーを含有するポリフェニレンスルファイドで構成されてもよい。鏡筒１８をガラス繊維等を含有する繊維強化プラスチック製とすることにより、機械的強度が高くなる。使用する樹脂としては、例えば、ポリアミド、ポリアセタール、ポリカーボネート、ポリフェニレンエーテル、ポリブチレンテレフタレート、ポリエチレンテレフタレート、ポリエチレン、シンジオタクチックポリスチレン、ポリサルホン、ポリエーテルサルホン、ポリフェニレンスルファイド、ポリアリレート、ポリアミドイミド、ポリエーテルイミド、ポリエーテルエーテルケトン、アクリロニトリルブダジエンスチレン、ポリオレフィン及び各々の変性ポリマーからなる群より選択される少なくとも一種、又は当該群から選択される少なくとも一種を含むポリマーアロイなどを用いることができる。繊維としては、ガラス繊維や炭素繊維、繊維強化プラスチック、無機フィラー等を用いることができる。
【００３９】
また、繊維強化プラスチック等、上記の樹脂材料には、必要に応じてガラス繊維、炭素繊維、無機フィラー等を含有させてもよい。ガラス繊維等を含有する繊維強化プラスチック製の鏡筒とすることにより、より機械的強度の高い鏡筒を得ることができる。
【００４０】
なお、鏡筒１８は、高い遮光性及び光吸収性が要求される。使用する樹脂は黒色であることが好ましく、上記の樹脂材料は黒色顔料又は黒色染料を含むことが好ましい。黒色顔料又は黒色染料を含む樹脂材料によって鏡筒１８を構成することにより、鏡筒１８の内壁面を黒色とすることができ、鏡筒１８の内壁面における可視光の反射をより有効に抑制することができる。
【００４１】
鏡筒１８は、物体側から順に第１段部２０及び第２段部２２を含んで構成されている。第１段部２０は、一定の厚みで光軸方向に延在されており、この第１段部２０の内周面は、第１円形部１４が嵌合された第１内周面２０Ａとされている。一方、第２段部２２は、一定の厚みで光軸方向に延在されており、この第２段部２２の内周面は、第１円形部１４と第１内周面２０Ａとの嵌合部から光軸方向に離れた位置で第２円形部１６が嵌合された第２内周面２２Ａとされている。
【００４２】
第１段部２０と第２段部２２との境界部分における鏡筒１８の内周面には段差２４が形成されている。この段差２４は、物体側から像側へ向かうにつれて径方向内側へ傾斜されている。このため、第１内周面２０Ａは、第２内周面２２Ａよりも径方向外側に位置している。
【００４３】
図３に示されるように、第１内周面２０Ａは、光軸方向から見て多角形状に形成されており、本例示的実施形態では一例として、光軸方向から見て略正方形状に形成されている。また、第１内周面２０Ａは、正方形の各辺を形成する四つの平面２０ＡＳと、隣り合う平面２０ＡＳを連結する略円弧状の連結部２０ＡＲとを含んで構成されている。そして、第１円形部１４は、四つの平面２０ＡＳのそれぞれに当接されており、第１円形部１４と平面２０ＡＳとが当接された部位が当接部Ｐ１となっている。すなわち、第１円形部１４は、第１内周面２０Ａと周方向に四カ所（三カ所以上）で当接されている。
【００４４】
図２に示されるように、第２内周面２２Ａは、光軸方向から見て多角形状に形成されており、本例示的実施形態では一例として、光軸方向から見て略正八角形状に形成されている。また、第２内周面２２Ａは、八角形の各辺を形成する八つの平面２２ＡＳと、隣り合う平面２２ＡＳを連結する略円弧状の連結部２２ＡＲとを含んで構成されている。そして、第２円形部１６は、八つの平面２２ＡＳのそれぞれに当接されており、第２円形部１６と平面２２ＡＳとが当接された部位が当接部Ｐ２となっている。すなわち、第２円形部１６は、第２内周面２２Ａと周方向に八カ所（三カ所以上）で当接されている。なお、図２と図３とは同じ向きで図示されている。このため、図２における上下左右の四つの平面２２ＡＳは、図３における四つの平面２０ＡＳと光軸方向から見て周方向に同じ位置に形成されている。ここでいう「周方向に同じ位置」とは、円形部と内周面との当接部が周方向に一致する位置である。
【００４５】
図１に示されるように、レンズ１２の第１円形部１４と第１内周面２０Ａとの当接部Ｐ１の光軸方向の長さ（嵌合長さ）は、第２円形部１６と第２内周面２２Ａとの当接部Ｐ２の光軸方向の長さよりも短くなっている。
【００４６】
レンズ１２の像側には、間隔環２６が配置されている。間隔環２６は、略環状に形成されており、鏡筒１８の第２内周面２２Ａに嵌合されている。また、間隔環２６の上端部は、レンズ１２の第２円形部１６における第２周縁部１６Ｂの下面に当接しており、レンズ１２を像側から支持している。
【００４７】
（作用及び効果）
次に、本例示的実施形態の作用及び効果について説明する。
【００４８】
本例示的実施形態では、レンズ１２の第１円形部１４が鏡筒１８の第１内周面２０Ａに嵌合されており、レンズ１２の第２円形部１６が鏡筒１８の第２内周面２２Ａに嵌合されている。これにより、本例示的実施形態では、光軸方向と直交する方向（鏡筒１８の径方向）から見てレンズ１２が複数カ所で鏡筒１８の内周面に当接されることとなる。したがって、本例示的実施形態では、鏡筒１８の径方向から見てレンズが一カ所のみで鏡筒１８の内周面に当接された構造と比較して、レンズ１２の傾きを抑制することができる。例えば、レンズ１２が第２内周面２２Ａのみに当接された比較例の構造について考える。この場合、レンズ１２の第１円形部１４と鏡筒１８の第１内周面２０Ａとの間に隙間があり、レンズ１２の物体側が鏡筒１８に支持されていないため、傾き易い。
【００４９】
また、本例示的実施形態では、鏡筒１８の径方向から見てレンズ１２を複数カ所で鏡筒１８の内周面（第１内周面２０Ａ、第２内周面２２Ａ）に当接させている。このことにより、本例示的実施形態では、第１円形部１４及び第２円形部１６のそれぞれの嵌合長さを長くする必要がない。すなわち、本例示的実施形態は、第１円形部１４と第１内周面２０Ａとの当接部Ｐ１及び第２円形部１６と第２内周面２２Ａとの当接部Ｐ２が比較的短くても、レンズ１２の傾きを抑制することができる。この結果、本例示的実施形態は、レンズ１２を鏡筒１８に組付ける時に、レンズ１２が鏡筒１８に入り難くなるのを抑制することができ、組付け性を確保することができる。
【００５０】
さらに、本例示的実施形態では、第１円形部１４が周方向に三カ所以上で第１内周面２０Ａと当接されており、第２円形部１６が周方向に三カ所以上で第２内周面２２Ａと嵌合されている。これにより、本例示的実施形態では、レンズ１２の位置精度を確保し易く、第１内周面２０Ａ及び第２内周面２２Ａの少なくとも一方でレンズ１２の位置決めを行うことで、第１円形部１４及び第２円形部１６のそれぞれの嵌合長さを長くする必要がない。この結果、本例示的実施形態は、レンズ１２の組付け時にレンズ１２が鏡筒１８に入り難くなるのを抑制することができ、組付け性を確保することができる。
【００５１】
また、本例示的実施形態では、第２円形部１６よりも大径となる第１円形部１４の光軸方向の長さを短くなっている。これにより、本例示的実施形態では、大径の第１円形部１４が光軸方向に長い場合と比較して、レンズ１２を鏡筒に入れ易い。さらに、当接部Ｐ１の嵌合長さが当接部Ｐ２の嵌合長さよりも短い。このように第１円形部１４と第１内周面２０Ａとの当接部Ｐ１の光軸方向の長さを短くすることにより、本例示的実施形態は、よりレンズ１２を鏡筒１８に入れ易くできる。すなわち、本例示的実施形態は、レンズ１２の組み付け性を向上させることができる。
【００５２】
さらに、本例示的実施形態では、第２内周面２２Ａを多角形状にすることにより、第２円形部１６と第２内周面２２Ａとの当接部Ｐ２が点接触となる。これにより、本例示的実施形態は、光軸方向から見て第２内周面２２Ａを円形にした構造のように第２円形部１６を曲面で受ける面接触の構造と比較して、組付け時の抵抗が減り、組付け性を維持しつつ嵌合長さを長くすることができる。特に、本例示的実施形態では、多角形状の各辺を形成する平面２２ＡＳと、隣り合う平面２２ＡＳを連結する円弧状の連結部２２ＡＲとを含んで第２内周面２２Ａを構成している。これにより、本例示的実施形態では、エンドミルなどの切削工具を用いて金型の面出しを行う際に、円弧状の連結部２２ＡＲに対応する部分をエンドミルの逃げ部とすることができる。
【００５３】
さらにまた、本例示的実施形態では、第１内周面２０Ａが第２内周面２２Ａと同様に多角形状とされている。これにより、本例示的実施形態は、第１円形部１４と第１内周面２０Ａとの当接部が点接触となり、第１円形部１４を曲面で受ける面接触の構造と比較して、組付け時の抵抗が減り、組付け性を維持しつつ嵌合長さを長くすることができる。特に、本例示的実施形態では、多角形状の各辺を形成する平面２０ＡＳと、隣り合う平面２０ＡＳを連結する円弧状の連結部２０ＡＲとを含んで第２内周面２２Ａを構成している。これにより、本例示的実施形態は、エンドミルなどの切削工具を用いて金型の面出しを行う際に、円弧状の連結部２０ＡＲに対応する部分をエンドミルの逃げ部とすることができる。
【００５４】
また、本例示的実施形態では、第１内周面２０Ａが第２内周面２２Ａよりも径方向外側に位置している。これにより、第１内周面２０Ａと第２内周面２２Ａとを径方向に同じ位置に形成した構造、すなわち、本例示的実施形態は、第１内周面２０Ａと第２内周面２２Ａとが同じ直径とされた構造と比較して、鏡筒１８の加工が容易にすることができる。すなわち、第１内周面２０Ａが第２内周面２２Ａよりも径方向外側に位置していれば、金型における第１内周面２０Ａに対応する部位と第２内周面２２Ａに対応する部位とをそれぞれ別々に面出しすることができる。
【００５５】
以上、例示的実施形態について説明したが、その他の変形例として、図４に示される第１変形例のように、第１内周面３４Ａを構成する平面３４ＡＳと第２内周面３６Ａを構成する平面３６ＡＳとを周方向に同じ位置に形成された構成としてもよい。また、図５に示される第２変形例、図６に示される第３変形例、図７に示される第３変形例、及び図８に示される第４変形例のように、鏡筒の内周面の形状を異なる形状としてもよい。なお、以下の変形例の説明において、例示的実施形態と同様の構成については同じ符号を付し、適宜説明を省略する。
【００５６】
（第１変形例）
図４に示されるように、第１変形例に係るレンズユニット３０を構成する鏡筒３２は、物体側から順に第１段部３４及び第２段部３６を含んで構成されている。第１段部３４は、一定の厚みで光軸方向に延在されており、この第１段部３４の内周面は、第１円形部１４が嵌合された第１内周面３４Ａとされている。一方、第２段部３６は、一定の厚みで光軸方向に延在されている。この第２段部３６の内周面は、第２円形部１６が嵌合された第２内周面３６Ａとされている。なお、図４では、説明の便宜上、レンズ１２を仮想線で図示しており、第１内周面３４Ａよりも像側（紙面奥側）の第２内周面３６Ａの両方の内周面を図示している。
【００５７】
ここで、第１内周面３４Ａは、第２内周面３６Ａよりも径方向外側に位置している。また、第１内周面３４Ａ及び第２内周面３６Ａは共に多角形状とされており、本変形例では光軸方向から見て略正八角形状に形成されている。詳細には、第１内周面３４Ａは、八角形の各辺を形成する八つの平面３４ＡＳと、隣り合う平面３４ＡＳを連結する連結部３４ＡＲとを含んで構成されている。そして、レンズ１２の第１円形部１４は、第１内周面３４Ａと周方向に八カ所（三カ所以上）で当接されている。
【００５８】
一方、第２内周面３６Ａは、八角形の各辺を形成する八つの平面３６ＡＳと、隣り合う平面３６ＡＳを連結する連結部３６ＡＲとを含んで構成されている。そして、レンズ１２の第２円形部１６は、第２内周面３６Ａと周方向に八カ所（三カ所以上）で当接されている。また、光軸方向から見て第１内周面３４Ａの平面３６ＡＳと第２内周面３６Ａの平面３６ＡＳとが周方向に同じ位置に形成されている。
【００５９】
本変形例によれば、光軸方向から見て第１内周面３４Ａの各辺を形成する平面３４ＡＳと第２内周面３６Ａの各辺を形成する平面３６ＡＳとが周方向に同じ位置にしている。このため、第１円形部１４と第１内周面３４Ａとの当接部と、第２円形部１６と第２内周面３６Ａとの当接部とが周方向に一致する。これにより、本変形例は、レンズの傾きを効果的に抑制することができる。その他の効果については上記例示的実施形態と同様である。
【００６０】
（第２変形例）
図５に示されるように、第２変形例に係るレンズユニット４０は、樹脂製又はガラス製のレンズ４２と、レンズ４２を収容する樹脂製の鏡筒４８とを含んで構成されている。また、レンズ４２は、光軸方向から見て略円形に形成されており、光軸方向に沿って並んだ第１円形部４４と第２円形部４６とを備えている。第１円形部４４は、レンズ４２の物体側に位置しており、光学面を有する第１レンズ部４４Ａと、第１レンズ部４４Ａの外周部を構成する第１周縁部４４Ｂとを備えている。また、第１円形部４４の物体側の面は、物体側に凸となるように湾曲されている。
【００６１】
一方、第２円形部４６は、レンズ４２の像側に位置して第１円形部４４と一体に形成されており、光学面を有する第２レンズ部４６Ａと、第２レンズ部４６Ａの外周部を構成する第２周縁部４６Ｂとを備えている。また、第２円形部４６の像側の面は、像側に凸となるように湾曲されている。さらに、第１円形部４４と第２円形部４６とは、同じ外径とされている。
【００６２】
鏡筒４８は、一定の厚みで光軸方向に延在されており、鏡筒４８の内周面には、内側へ突出された二ヵ所の突起部４７及び突起部４９が形成されている。突起部４７は、物体側に位置しており、この突起部４７によって第１円形部４４が嵌合された第１内周面４７Ａが構成されている。一方、突起部４９は、物体側に位置しており、この突起部４９によって第２円形部４６が周方向に三カ所以上で嵌合された第２内周面４９Ａが構成されている。また、第１円形部４４と第１内周面４７Ａとの当接部Ｐ３の嵌合長さを、第２円形部４６と第２内周面４９Ａとの当接部Ｐ４の嵌合長さよりも短く形成している。なお、本変形例における第１円形部４４及び第２円形部４６は、鏡筒４８との関係で決定される部位であり、レンズ４２における第１内周面４７Ａと当接している部位を第１円形部４４とし、レンズ４２における第２内周面４９Ａと当接している部位を第２円形部４６としている。
【００６３】
本変形例では、レンズ４２の第１円形部４４が鏡筒４８の第１内周面４７Ａに嵌合されており、レンズ４２の第２円形部４６が鏡筒４８の第２内周面４９Ａに嵌合されている。これにより、本変形例では、光軸方向と直交する方向（鏡筒４８の径方向）から見てレンズ４２が複数カ所で鏡筒４８の内周面に当接されることとなる。よって、本変形例は、鏡筒４８の径方向から見てレンズが一カ所のみで鏡筒４８の内周面に当接された構造と比較して、レンズ４２の傾きを抑制することができる。
【００６４】
また、鏡筒４８の径方向から見てレンズ４２を複数カ所で鏡筒４８の内周面（第１内周面４７Ａ、第２内周面４９Ａ）に嵌合させることにより、第１円形部４４及び第２円形部４６のそれぞれの当接部の光軸方向に沿った長さを長くする必要がない。すなわち、本変形例は、当接部Ｐ１及び当接部Ｐ２が比較的短くてもレンズ４２の傾きを抑制することができる。この結果、本変形例は、レンズ４２を鏡筒４８に組付ける時に、レンズ４２が入り難くなるのを抑制することができ、組付け性を確保することができる。
【００６５】
さらに、本変形例では、第２円形部４６が周方向に三カ所以上で第２内周面４９Ａと当接されているため、レンズ４２の位置精度を確保し易く、第２内周面４９Ａでレンズ１２の位置決めを行うことで、第１円形部４４及び第１円形部１４のそれぞれの嵌合長さを長くする必要がない。この結果、本変形例は、レンズ４２の組付け時にレンズ４２が鏡筒４８に入り難くなるのを抑制することができ、組付け性を確保することができる。
【００６６】
（第３変形例）
図６に示されるように、第３変形例に係るレンズユニット５０を構成する鏡筒１８は、第１段部５２と第２段部２２とを含んで構成されている。第２段部２２は例示的実施形態と同様の構成であり、第２段部２２の第２内周面２２Ａにレンズ１２の第２円形部１６が嵌合されている。
【００６７】
第１段部５２の内周面は、光軸方向に対して傾斜された傾斜面となっている。詳細には、第１段部５２の内周面は、光軸方向から見て多角形状に形成されており、この多角形を構成する各内周面が物体側から像側へ向かうにつれて径方向内側に傾斜された傾斜面となっている。そして、この傾斜面がレンズ１２の第１円形部１４が嵌合される第１内周面５２Ａとされている。また、第１円形部１４の第１周縁部１４Ｂにおける第１内周面５２Ａと嵌合される周面は、第１内周面５２Ａの傾斜に対応して傾斜されている。
【００６８】
本変形例では、レンズ１２を鏡筒１８に物体側から圧入して嵌合させる際に、傾斜面である第１内周面５２Ａがレンズ１２のガイドとなる。これにより、本変形例は、第１内周面５２Ａ及び第２内周面２２Ａの両方が光軸方向に沿って形成されている場合と比較して、レンズ１２を位置決めし易い。
【００６９】
なお、本変形例では、第１内周面５２Ａのみを傾斜面としたが、これに限定されない。例えば、第２内周面２２Ａのみを傾斜面としてもよい。この場合、第２内周面２２Ａに嵌合される第２円形部１６の第２周縁部１６Ｂにおける第２内周面２２Ａと嵌合される周面は、第２内周面２２Ａの傾斜に対応して傾斜される。また、第１内周面５２Ａ及び第２内周面２２Ａの両方を傾斜面としてもよい。
【００７０】
（第４変形例）
図７に示されるように、第４変形例に係るレンズユニット６０を構成する鏡筒６２の第２内周面６２Ａは、光軸方向から見て多角形状とされているが、多角形状の各辺が平面に替えて八つの湾曲面６２ＡＳとされている。湾曲面６２ＡＳはそれぞれ、径方向内側に凸となるように湾曲されており、隣り合う湾曲面６２ＡＳは、角部で連結されている。そして、それぞれの湾曲面６２ＡＳがレンズ１２の第２円形部１６に嵌合されており、湾曲面６２ＡＳと第２円形部１６とが当接した部位が当接部Ｐ６となっている。また、鏡筒６２の第１内周面は、上記例示的実施形態と同様の構成とされている（図３参照）。
【００７１】
以上のように、本変形例は、平面に替えて湾曲面６２ＡＳで第２内周面６２Ａを構成した場合であっても、上記例示的実施形態と同様に組付け性を確保しつつ、レンズ１２の傾きを抑制することができる。
【００７２】
（第５変形例）
次に、第５変形例では、図８に示されるように、レンズユニット７０を構成する鏡筒７２の第２内周面７２Ａは、八つの湾曲面７２ＡＳと、隣り合う湾曲面７２ＡＳを連結する凹部７２ＡＮとを含んで構成されている。また、湾曲面７２ＡＳはそれぞれ、周方向に等間隔に設けられており、鏡筒７２の径方向外側に窪んで第２円形部１６と面接触している。そして、それぞれの湾曲面７２ＡＳがレンズ１２の第２円形部１６に嵌合されており、湾曲面７２ＡＳと第２円形部１６とが当接した部位（面）が当接部Ｐ７となっている。
【００７３】
凹部７２ＡＮは、隣り合う平面の間の部位を径方向外側へ凹ませて形成されている。また、鏡筒６２の第１内周面は、例示的実施形態と同様の構成とされている（図３参照）。本変形例では、上記例示的実施形態と同様に組付け性を確保しつつ、レンズ１２の傾きを抑制することができる。また、本変形例では、湾曲面で第２円形部１６を受けることにより、第２円形部１６を点で受ける構成と比較して、第２内周面７２Ａとの接触面積を大きくすることができる。この結果、本変形例では、レンズ１２全体の光軸方向の傾きを抑制することができる。
【００７４】
（その他の例）
以上、本開示の例示的実施形態及び変形例について説明したが、本開示は、上記例示的実施形態及び変形例に限定されるものではなく、要旨を逸脱しない範囲において種々変更可能である。例えば、上記例示的実施形態では、図３に示されるように鏡筒１８の第１内周面２０Ａを光軸方向から見て多角形状（略正方形状）に形成したが、これに限定されず、光軸方向から見て略円形状に形成してもよい。
【００７５】
また、上記例示的実施形態では、図２に示されるように鏡筒１８の第２内周面２２Ａを光軸方向から見て略正八角形状に形成したが、これに限定されず、第２円形部１６が周方向に三カ所以上で嵌合される形状であればよい。例えば、第２内周面２２Ａを光軸方向から見て略四角形状に形成し、四カ所で第２円形部１６が嵌合された構造としてもよい。
【００７６】
さらに、上記例示的実施形態では、図１に示されるように、第１円形部１４及び第１内周面２０Ａが第２円形部１６及び第２内周面２２Ａよりも物体側に位置しているが、これに限定されない。第１円形部１４及び第１内周面２０Ａを第２円形部１６及び第２内周面２２Ａよりも像側に配置してもよい。
【００７７】
日本出願２０１６−０６５６５６の開示は、その全体が参照により本明細書に取り込まれる。
【００７８】
本明細書に記載された全ての文献、特許出願、および技術規格は、個々の文献、特許出願、および技術規格が参照により取り込まれることが具体的かつ個々に記された場合と同程度に、本明細書中に参照により取り込まれる。
【図１】
2017168960.tif 000003
【図２】
2017168960.tif 000004
【図３】
2017168960.tif 000005
【図４】
2017168960.tif 000006
【図５】
2017168960.tif 000007
【図６】
2017168960.tif 000008
【図７】
2017168960.tif 000009
【図８】
2017168960.tif 000010
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
光軸方向に沿って並んで形成され、光軸方向に凸状に湾曲した面を有する第１円形部と前記第１円形部とは反対の光軸方向に凸状に湾曲した面を有する第２円形部とを備えたレンズと、
筒状に形成され、前記第１円形部が嵌合された第１内周面と、前記第１円形部と前記第１内周面との嵌合部から光軸方向に離れた位置で前記第２円形部が嵌合され、かつ、周方向に三カ所以上で前記第２円形部が当接された第２内周面とを備えた樹脂製の鏡筒と、
環状に形成され、前記第２円形部の前記面に当接して前記レンズを支持する間隔環と、
を有するレンズユニット。
【請求項２】
前記第２内周面は、光軸方向から見て多角形状に形成されており、
前記第２内周面における第２円形部との当接部は、多角形状の各辺を形成する平面である
請求項１に記載のレンズユニット。
【請求項３】
前記第２内周面は、隣り合う前記平面を繋ぐ曲面が形成されている請求項２に記載のレンズユニット。
【請求項４】
前記第２内周面における前記第２円形部との当接部分には、光軸方向から見て前記鏡筒の径方向外側に窪んで前記第２円形部と面接触する湾曲面が形成されている請求項１に記載のレンズユニット。
【請求項５】
前記第１円形部と前記第１内周面とが周方向に三カ所以上で当接されている請求項２から請求項４の何れか１項に記載のレンズユニット。
【請求項６】
前記第１内周面は、光軸方向から見て多角形状とされている請求項５に記載のレンズユニット。
【請求項７】
前記第１内周面は、多角形状の各辺を形成する平面と、隣り合う平面を連結する円弧状の連結部とを含んで構成されている請求項６に記載のレンズユニット。
【請求項８】
前記第１内周面は、前記第２内周面よりも径方向外側に位置している請求項１から請求項７の何れか１項に記載のレンズユニット。
【請求項９】
前記第１円形部の光軸方向の長さは、第２円形部の光軸方向の長さよりも短い請求項８に記載のレンズユニット。
【請求項１０】
前記第１内周面は、前記第２内周面よりも径方向外側に位置しており、
光軸方向から見て前記第１内周面の各辺を形成する平面と前記第２内周面の各辺を形成する平面とが周方向に同じ位置に形成されている
請求項６又は請求項７に記載のレンズユニット。
【請求項１１】
前記第１内周面及び前記第２内周面の少なくとも一方は、光軸方向に対して傾斜された傾斜面を備えており、
前記第１円形部及び前記第２円形部のうち前記傾斜面と嵌合される円形部は、前記傾斜面に対応して傾斜している
請求項１から請求項１０の何れか１項に記載のレンズユニット。
【請求項１２】
前記レンズユニットは、車載用又は監視用のレンズユニットである請求項１から請求項１１の何れか１項に記載のレンズユニット。
【国際調査報告】
2017168960.tif 000011
2017168960.tif 000012
2017168960.tif 000013
2017168960.tif 000014